(57)【要約】【課題】基板において発生する振動音の抑制効果を向上させつつ、振動音のばらつきを抑制することができる電子部品を提供する。【解決手段】セラミックコンデンサ１０は、セラミックコンデンサ素子１１と、一対の接続端子１２とを含み、セラミックコンデンサ素子１１は、複数の誘電体層２６と内部電極２７とを有する誘電体素体２１と、誘電体素体２１の端面に設けられる一対の外部電極２２とを有する。接続端子１２は、外部電極２２に接続される電極接続部４１と、基板１３に接続され、誘電体素体２１と対向するように設けられる外部接続部４２と、誘電体素体２１の下面（側面２４ｂ）と外部接続部４２との間に隙間を有するように電極接続部４１と外部接続部４２とを接続し、折り曲げられて形成される中間部４３とを有し、中間部４３と外部接続部４２とにより形成される基板１３からの角度のうち、基板１３からの角度が小さい方の角度αを、６０°未満とする。【選択図】図１
2012094783.tif 000002
【特許請求の範囲】
【請求項１】
複数の誘電体層と該誘電体層を介して設けられる内部電極とを有する誘電体素体と、該誘電体素体の端面に設けられる外部電極とを有する素子と、一対の接続端子とを含み、
前記接続端子が、前記外部電極に接続される電極接続部と、基板に接続され、前記誘電体素体と対向するように設けられる外部接続部と、前記誘電体素体の下面と前記外部接続部との間に隙間を有するように前記電極接続部と前記外部接続部とを接続し、前記素子が設けられている方向又はその反対方向に折り曲げられて形成される中間部とを有し、
前記中間部と前記外部接続部とにより形成される角度のうち小さい方の角度が、６０°未満であることを特徴とする電子部品。
【請求項２】
前記中間部は、折り曲げた後、折り返して形成される請求項１に記載の電子部品。
【請求項３】
前記接続端子は、前記外部接続部を前記素子が設けられている方向に設ける請求項１または２に記載の電子部品。
【発明の詳細な説明】
【技術分野】
【０００１】
本発明は、回路基板に実装される電子部品に関し、特に積層型のセラミックコンデンサに好適なものである。
【背景技術】
【０００２】
ノート型パーソナルコンピュータやＰＤＡ（Personal  Digital  Assistant）、携帯電話など各種携帯型の情報処理装置においては、電子部品として、コンデンサ、インダクタ、バリスタまたはこれらを複合した複合部品を回路基板に表面実装することにより、高密度に電子部品を搭載して回路基板全体の大きさの小型化が図られている。このような回路基板に搭載されるコンデンサとして、積層型のセラミックコンデンサが用いられている。
【０００３】
積層型のセラミックコンデンサは、誘電体と内部電極とが交互に積層されている。誘電体を形成するセラミック材料には、誘電率が比較的高いチタン酸バリウム等の強誘電体材料が一般的に用いられている。このような積層型のセラミックコンデンサに交流電圧を印加すると、誘電体を形成するセラミック材料は電歪現象を伴うので、電圧の変化に応じて各誘電体層の厚みが変化し、セラミックコンデンサのサイズが変化する。これにより、セラミックコンデンサは印加電圧の大きさに応じた機械的歪みを生じる。このため、セラミックコンデンサに交流電圧を印加すると、誘電体の電歪現象によりセラミックコンデンサが振動する。
【０００４】
この電歪現象によるセラミックコンデンサの振動は、セラミックコンデンサが実装されている基板に伝播する。この基板に伝わった振動により、基板が共鳴して振動が増幅され、基板において振動音（音鳴り）が発生する。すなわち、コンデンサの振動によって周囲の空気が振動して音が発生すると共に、基板に伝わった振動により基板も共鳴振動し、音が発生する。コンデンサの振動に起因して生じる音圧が大きくなることで振動音が可聴音として人間の耳に認識される。
【０００５】
また、セラミックコンデンサの振動は、誘電体の積層数が多く、電歪が大きいセラミック材料を用いている場合ほど、基板に伝わる振動が増幅され、基板の振動音が大きくなる傾向がある。特に、より大きな静電容量を得るため、複数のセラミックコンデンサを基板上に並列に接続した場合等には、複数のセラミックコンデンサが同じ周期で振動するため、基板に伝わる振動が増幅されるため、振動音がより発生し易くなる。
【０００６】
そこで、基板の振動音を低減するため、例えば、素体の両端に設けられた外部電極に導電接続された金属端子を設け、前記外部端子電極の前記基板との対向面側の端部を素体の中央部側に略Ｕ字形状に折り曲げ、金属端子を素体の底面よりも突出させ、回路基板と素体面との間に所定長さの間隙を形成した積層セラミックコンデンサが提案されている（例えば、特許文献１参照）。特許文献１に記載の積層セラミックコンデンサによれば、金属端子によって回路基板との間に間隙が形成されることで、素体に圧電効果による振動が発生した場合、振動は間隙内の空気によって空間に発散され、素体の振動が直接回路基板に伝播するのを抑制し、素体に起因して生じる振動音が発生するのを抑制している。
【０００７】
また、金属端子を回路基板に接続する実装面からのはんだの濡れ上がりは同一の素体であっても異なるため、素体に起因して生じる振動音（音圧）にはばらつきが生じる。このはんだの濡れのばらつきを抑制する方法として、例えば、基板と接続される端子部材をＵ字状に折り曲げられた金属板で構成し、端子部材の折り曲げ状態において内側に向く面にはんだになじまない半田非親和面を形成し、同じく外側に向く面にはんだになじむ半田親和面を形成したセラミック電子部品が提案されている（例えば、特許文献２参照）。特許文献２に記載のセラミック電子部品によれば、基板に付与されるはんだは、内側に向く半田非親和面の作用により、端子部材の折り曲げにおける一方側部分と他方側部分との隙間に入り込むのを防止しつつ、外側に向く半田親和面になじみながら端子部材と基板との間での適正なはんだ付けを達成し、はんだの濡れ上がりを抑制している。
【先行技術文献】
【特許文献】
【０００８】
【特許文献１】特開２０００−２２３３５７号公報
【特許文献２】特許第３３５８４９９号公報
【発明の概要】
【発明が解決しようとする課題】
【０００９】
しかしながら、従来のはんだの濡れのばらつきを抑制する方法では、端子部材の一方側部分から他方側部分内側にはんだが入り込むのを防止し、端子部材と基板との間での適正なはんだ付けを達成しているが、はんだが外側から濡れ上がりを防止することはできないため、端子部材と基板との間での適正なはんだ付けのばらつきが十分抑制できず、基板で発生する振動音のばらつきを抑制することができない、という問題がある。
【００１０】
本発明は、上記に鑑みてなされたものであって、基板において発生する振動音の抑制効果を向上させつつ、振動音のばらつきを抑制することができる電子部品を提供することを目的とする。
【課題を解決するための手段】
【００１１】
上述した課題を解決し、目的を達成するために、本発明者らは電子部品について鋭意研究をした。その結果、素子と基板との間に位置する接続端子が前記基板と前記誘電体素体との間に隙間を有するように折り曲げて形成し、折り曲げられる接続端子と基板とにより形成される基板からの角度のうち、基板からの角度が小さい方の角度を、所定の範囲内となるようにすることで、素子で発生した振動が基板に伝播するのをよく抑制しつつ、複数の電子部品同士の間で、素子に起因して発生する振動音のばらつきを抑制することができ、基板における振動音の抑制効果を向上させることができることを見出した。本発明は、係る知見に基づいて完成されたものである。
【００１２】
本発明の電子部品は、複数の誘電体層と該誘電体層を介して設けられる内部電極とを有する誘電体素体と、該誘電体素体の端面に設けられる外部電極とを有する素子と、一対の接続端子とを含み、前記接続端子が、前記外部電極に接続される電極接続部と、基板に接続され、前記誘電体素体と対向するように設けられる外部接続部と、前記誘電体素体の下面と前記外部接続部との間に隙間を有するように前記電極接続部と前記外部接続部とを接続し、前記素子が設けられている方向又はその反対方向に折り曲げられて形成される中間部とを有し、前記中間部と前記外部接続部とにより形成される角度のうち小さい方の角度が、６０°未満であることを特徴とする。
【００１３】
この構成によれば、接続端子を介して設けられるセラミックコンデンサ素子の基板からの高さを一定とした場合、接続端子が折り曲げられていない場合に比べ、接続端子を誘電体素体と接続するために用いられるはんだと接触する位置から接続端子を基板と接続するために用いられるはんだと接触する位置までの接続端子の全長の長さを長くできる。これにより、素子で発生した振動が基板に伝播するのを抑制することができるため、素子に起因して基板から発生する振動音を抑制する効果を向上させることができる。また、中間部と外部接続部とにより形成される基板からの角度を、上記範囲内とすることで、はんだの接続端子への濡れ上がりのばらつきを小さくできるため、接続端子と基板との間での適正なはんだ付けのばらつきを抑制し、基板で発生する振動音のばらつきを抑制することができる。よって、素子で発生した振動が基板に伝播されるのを効率よく抑制して基板から発生する振動音を抑制しつつ、基板で発生する振動音のばらつきを抑制する効果を向上させることができる。
【００１４】
本発明の好ましい態様として、前記中間部は、折り曲げた後、折り返して形成されることが好ましい。これにより、素子で発生した振動が基板に伝播されるのを更に抑制することができる。
【００１５】
本発明の好ましい態様として、前記接続端子は、前記外部接続部を前記素子が設けられている方向に設けることが好ましい。これにより、接続端子を基板に安定して接続することができる。
【発明の効果】
【００１６】
本発明によれば、基板において発生する振動音の抑制効果を向上させつつ、振動音のばらつきを抑制することができる、という効果を奏する。
【図面の簡単な説明】
【００１７】
【図１】図１は、本発明の実施形態に係るセラミックコンデンサの斜視図である。
【図２】図２は、図１中のＡ−Ａ断面図である。
【図３】図３は、従来の接続端子の寸法を示す説明図である。
【図４】図４は、接続端子の他の構成を示す図である。
【図５】図５は、接続端子の他の構成を示す図である。
【図６】図６は、接続端子の他の構成を示す図である。
【図７】図７は、接続端子の折り曲げ箇所を示す説明図である。
【図８】図８は、音圧の測定を行なう際に用いた試験装置の構成を簡略に示す図である。
【発明を実施するための形態】
【００１８】
以下、本発明を好適に実施するための形態（以下、実施形態という。）につき、詳細に説明する。尚、本発明は以下の実施形態および実施例に記載した内容により限定されるものではない。また、以下に記載した実施形態および実施例における構成要素には、当業者が容易に想定できるもの、実質的に同一のもの、いわゆる均等の範囲のものが含まれる。更に、以下に記載した実施形態および実施例で開示した構成要素は適宜組み合わせてもよいし、適宜選択して用いてもよい。
【００１９】
本発明の実施形態に係る電子部品であるセラミックコンデンサの好適な一実施形態を図１、２に示す。図１は、本発明の実施形態に係るセラミックコンデンサの斜視図であり、図２は、図１中のＡ−Ａ断面図である。図１、２に示すように、セラミックコンデンサ１０は、セラミックコンデンサ素子１１と一対の接続端子１２とを含む。尚、本実施形態では、図１中のセラミックコンデンサ素子１１の長さ方向をＸ、幅方向をＹ、厚さ方向をＺとする。
【００２０】
セラミックコンデンサ１０は、回路基板（以下、「基板」という。）１３上に搭載されている。セラミックコンデンサ１０は、１つのセラミックコンデンサ素子１１により構成されているが、本実施形態はこれに限定されるものではなく、セラミックコンデンサ１０は、セラミックコンデンサ素子１１を複数積層して組み合わせてもよい。
【００２１】
基板１３は、例えば、ノート型パーソナルコンピュータ、ＰＤＡや携帯電話等の小型の処理装置に用いられる。この基板１３のセラミックコンデンサ１０が実装される表面には、基板電極１４Ａ、１４Ｂが設けられている。基板電極１４Ａ、１４Ｂからは配線１５Ａ、１５Ｂが延びている。一対の接続端子１２は、はんだ１６によって基板電極１４Ａ、１４Ｂに各々はんだ付けされる。
【００２２】
セラミックコンデンサ素子１１は、誘電体素体２１と、誘電体素体２１の両端部に各々形成された一対の端子電極（外部電極）２２とを有する。セラミックコンデンサ素子１１は、積層型のセラミックコンデンサであり、両端部ならびに上面と下面と両側面とを含む四方側面を有する略直方体形状に形成される。
【００２３】
本実施形態において、「略直方体形状」とは、立方体形状や直方体形状のみならず、誘電体素体２１のように、直方体の稜線部分に面取りが施されて、稜部がＲ形状となっている形状を含むことはいうまでもない。誘電体素体２１はＲ形状とすることによって、誘電体素体２１の稜部における破損の発生を抑制することができる。すなわち、誘電体素体２１は、実質的に立方体形状又は直方体形状を有していればよい。
【００２４】
誘電体素体２１は、互いに対向する端面２３ａおよび端面２３ｂ（以下、まとめて「端面２３」という場合がある。）と、端面２３に垂直で互いに対向する側面２４ａおよび側面２４ｂ（以下、まとめて「側面２４」という場合がある。また、側面２４ａ、側面２４ｂは、各々、「上面」、「下面」という場合がある。）と、端面２３に垂直で互いに対向する側面２５ａおよび側面２５ｂ（以下、まとめて「側面２５」という場合がある。）とを有する。側面２４と側面２５とは互いに垂直である。
【００２５】
誘電体素体２１は、複数の誘電体層２６と、複数（例えば１００層程度）の内部電極２７とを有している。誘電体素体２１は、複数の誘電体層２６と複数の内部電極２７とを交互に積層して形成されている。誘電体素体２１は、セラミックグリーンシート（未焼成セラミックシート）を複数枚積層し、セラミックグリーンシートの間に内部電極２７となる所定パターンの導電性ペーストを含む積層体を加熱圧着して一体化して、切断し、脱脂し、焼成することにより得られる略直方体状の焼結体である。誘電体層２６と内部電極２７との積層方向は、セラミックコンデンサ素子１１の厚さ方向Ｚである。誘電体素体２１は、両端部ならびに上面と下面と両側面とを含む四方側面を有する直方体形状に形成されており、誘電体素体２１は、その大きさを、例えば、長さ方向Ｌ、幅方向Ｙ、厚さ方向Ｚにそれぞれほぼ３．２ｍｍ、２．５ｍｍ、２．５ｍｍとして形成される。なお、説明の都合上、図２では、誘電体層２６および内部電極２７の積層数を視認できる程度の数としているが、所望の電気特性に応じて、誘電体層２６および内部電極２７の積層数を適宜変更してもよい。積層数は、例えば、誘電体層２６および内部電極２７を、各々数十層としてもよく、１００層から５００層程度としてもよい。また、実際の誘電体素体２１は、誘電体層２６の層間を視認できない程度に一体化されていてもよい。
【００２６】
誘電体層２６は、セラミックグリーンシートを焼成して得られるものである。誘電体層２６を構成する誘電体材料は、特に限定されるものではなく、例えば、チタン酸カルシウム、チタン酸ストロンチウム、チタン酸バリウム（ＢａＴｉＯ3）などが挙げられる。誘電体層２６は、これら誘電体材料を１種又は２種類以上を複数混合して用いるようにしてもよい。誘電体層２６は、高い誘電率の有する観点から、特に、誘電率の高い強誘電体材料としてＢａＴｉＯ3で構成されることが好ましい。誘電体層２６としてチタン酸バリウムなどを主成分として用いて構成された誘電体素体２１は、誘電体としての機能を有し、電界が加えられると歪みが生じる。このため、セラミックコンデンサ素子１１は、交流電圧が印加されると、交流電圧の大きさに応じた機械的歪みを生じ、この機械的歪みが振動となって基板１３に伝播することで、基板１３が振動し、この振動が可聴周波数帯域である場合、基板１３の振動が、振動音として現れることになる。
【００２７】
内部電極２７は、一端が誘電体素体２１の端面２３ａ、２３ｂの何れかから露出し、一方の外部電極２２に接続され、他端は開放端になっており、他方の外部電極２２とは絶縁されている。対向する一対の外部電極２２に各々接続している内部電極２７同士が誘電体層２６を介して交互に対向し、所定間隔を持って複数積層されている。
【００２８】
内部電極２７を構成する材料としては、積層型のセラミック電子部品の内部電極として通常用いられる導電性材料であれば用いることができ、例えば、Ｐｄ、Ａｇ、Ｎｉを主成分とする導電性材料を含んだものなどが用いられる。
【００２９】
外部電極２２は、誘電体素体２１の端面２３ａ、２３ｂと、側面２４、２５の端面２３ａ、２３ｂ側の一部を覆うように設けられている。外部電極２２は、誘電体素体２１の端面２３ａ、２３ｂで内部電極２７と接続している。外部電極２２は、電子部品の外部電極として通常用いられる導電性材料であれば用いることができ、例えば、Ｃｕを主成分として含有するものが用いられる。外部電極２２は、Ｃｕ粉末を含有する導電性ペーストを誘電体素体２１の端面２３ａ、２３ｂに塗布して焼き付けることによって形成されている。外部電極２２を構成する金属成分としては、Ｃｕ以外に、Ａｇ、Ｐｄ、Ｎｉ、Ｓｎなどを導電性材料として含んでもよい。また、外部電極２２は、複数の金属電極層で構成されていてもよく、例えば、Ｃｕを主成分とした下地電極に、Ｎｉめっき層、Ｓｎめっき層を形成するようにしてもよい。
【００３０】
セラミックコンデンサ１０は、セラミックコンデンサ素子１１の一対の外部電極２２に電圧が印加されることで、セラミックコンデンサ素子１１に電荷が蓄積される。
【００３１】
接続端子１２は、基板電極１４Ａ、１４Ｂと一対の外部電極２２とをそれぞれ接続するように一対設けられている。接続端子１２は、一対の外部電極２２とはんだ２８ではんだ付けにより接続されている。
【００３２】
接続端子１２を形成するために用いられる金属板としては、例えば、鉄、ニッケル、アルミニウム、銅などの金属や、これら金属を含む合金、例えばニッケル合金、銅合金やステンレス鋼などの鉄系合金が挙げられるが、特にこれに限定されるものではない。
【００３３】
本実施形態では、接続端子１２は、金属部材で構成され、電極接続部４１と、外部接続部４２と、中間部４３とを有する。具体的には、電極接続部４１は、セラミックコンデンサ素子１１の長さ方向Ｘに誘電体素体２１の端面２３ａ、２３ｂ側で外部電極２２と接続している。外部接続部４２は、誘電体素体２１の下面と対向するように基板電極１４Ａ、１４Ｂに設けられ、基板電極１４Ａ、１４Ｂとはんだ１６により接続されている。中間部４３は、誘電体素体２１の下面（側面２４ｂ）と基板１３との間に隙間を有するように電極接続部４１と外部接続部４２との間に設けられている。また、中間部４３は、セラミックコンデンサ素子１１の設けられている方向と反対方向に折り曲げた後、セラミックコンデンサ素子１１が設けられている方向に折り返して形成されている。
【００３４】
セラミックコンデンサ素子１１の一対の外部電極２２に電圧が印加されることで、誘電体素体２１に振動が発生するが、誘電体素体２１で発生した振動が基板１３に伝達するのを抑制するためには、接続端子１２において誘電体素体２１で発生した振動が基板１３に伝達するのを抑制する必要がある。接続端子１２において誘電体素体２１で発生した振動が基板１３に伝達するのを抑制するためには、接続端子１２のばね定数Ｋを小さくする必要がある。
【００３５】
図３は、接続端子の寸法を示す説明図である。図３に示す接続端子は、従来から用いられている一般的な接続端子である。図３中、接続端子３１の厚さをｔ、幅をｂ、基板３２の基板電極３３から接続端子３１とセラミックコンデンサ素子１１の外部電極２２とを接続するはんだ２８の基板面３４側までの距離（接続端子取付長さ）をＬとする。このとき、接続端子３１のばね定数Ｋは、下記式（１）で表すことができる。下記式（１）中のＥは、接続端子３１のヤング率である。
【００３６】
【数１】
2012094783.tif 000003
【００３７】
接続端子３１のばね定数Ｋが小さいほど、誘電体素体２１の電歪に起因して発生する振動が基板３２に伝達されるのを抑制し、振動音の発生を抑制する効果を高くすることができる。接続端子３１は、セラミックコンデンサ素子１１の外部電極２２と基板３２の基板電極３３とを電気的に接続するものであるため、導電性が必要である。導電性を有する材料としては金属材料があるが、金属材料は一般にヤング率が高い。このため、板状の金属材料を折り曲げて成型する際には、接続端子３１のばね定数Ｋが極力小さくなるように接続端子３１となる金属板を折り曲げて成型する必要がある。
【００３８】
本実施形態では、図１、２に示すように、接続端子１２は、中間部４３をセラミックコンデンサ素子１１が設けられている方向とは反対方向に折り曲げた後、セラミックコンデンサ素子１１が設けられている方向に折り返して形成されている。接続端子１２の上記式（１）の長さＬは、電極接続部４１がはんだ２８と接触する下端２８ａから外部接続部４２または中間部４３のはんだ１６との接触部分までの接続端子１２の全長の長さとなる。中間部４３を折り曲げた後、折り返して形成することで、接続端子１２を介して設けられるセラミックコンデンサ素子１１の基板１３からの高さを一定とした場合、接続端子１２の上記式（１）の長さＬを図３に示すような接続端子３１の上記式（１）の長さＬよりも大きくすることができ、接続端子１２のばね定数Ｋを小さくできる。このため、誘電体素体２１で発生した振動がセラミックコンデンサ素子１１から基板１３に伝播される際、接続端子１２において誘電体素体２１で発生した振動を吸収することで、誘電体素体２１で発生した振動が基板１３に伝播するのを抑制することができる。誘電体素体２１で発生した振動が基板１３に伝播されるのを抑制することで、基板１３で発生する振動音を抑制することができる。なお、振動音の大きさは、例えば後述する集音マイクを介して測定される音圧から求められる。
【００３９】
接続端子１２は、中間部４３と外部接続部４２とにより形成される角度のうち外部接続部４２が設けられている側とは反対側で中間部４３と基板１３との間の角度αを、６０°未満とし、好ましくは３０°以下とし、更に好ましくは１０°以下とする。中間部４３と外部接続部４２とにより形成される角度αを、上記範囲内とすることで、はんだ１６の接続端子１２への濡れ上がりのばらつきを小さくできるため、接続端子１２の上記式（１）の長さＬのばらつきを小さくできる。これにより、接続端子１２のばね定数Ｋのばらつきを小さくできるため、誘電体素体２１で発生した振動が基板１３に伝播するばらつきを小さくすることができる。
【００４０】
よって、接続端子１２の基板１３とのなす角度αを上記範囲内とすることで、誘電体素体２１で発生した振動が基板１３に伝播するのを抑制しつつ、誘電体素体２１で発生した振動が基板１３に伝播するばらつきを小さくすることで、基板１３で発生する振動音の抑制効果を向上させることができる。
【００４１】
中間部４３は、セラミックコンデンサ素子１１が設けられている方向と反対方向に折り曲げた後、セラミックコンデンサ素子１１が設けられている方向に折り返して形成されているが、本実施形態は、これに限定されるものではなく、図４に示すように、セラミックコンデンサ素子１１が設けられている方向と反対方向に折り曲げたまま外部接続部４２と接続するようにしてもよい。また、中間部４３は、セラミックコンデンサ素子１１が設けられている方向に折り曲げた後、外部接続部４２と接続するようにしてもよい。
【００４２】
中間部４３は、セラミックコンデンサ素子１１が設けられている方向と反対方向に折り曲げた後、セラミックコンデンサ素子１１が設けられている方向に折り返して形成されているが、本実施形態は、これに限定されるものではなく、中間部４３の一部を折り曲げて上記式（１）の長さＬよりも大きくし、接続端子１２のばね定数Ｋを小さくできればよいため、図５に示すように、中間部４３は、セラミックコンデンサ素子１１が設けられている方向に折り曲げた後、セラミックコンデンサ素子１１が設けられている方向と反対方向に折り返して形成するようにしてもよい。
【００４３】
接続端子１２は、外部接続部４２を中間部４３からセラミックコンデンサ素子１１が設けられている方向に設けているため、接続端子１２は、セラミックコンデンサ素子１１を基板１３に安定して設けることができる。また、接続端子１２は外部接続部４２をセラミックコンデンサ素子１１の設けられている側に設ける場合に限定されるものではなく、外部接続部４２が基板電極１４Ａ、１４Ｂとはんだ１６を介して接続されていればよいため、図６に示すように、接続端子１２は誘電体素体２１が設けられている側とは反対側に外部接続部４２を設けるようにしてもよい。
【００４４】
セラミックコンデンサ素子１１の外部電極２２と接続端子１２の電極接続部４１との間は、はんだ２８ではんだ付けにより接続されているが、本実施形態はこれに限定されるものではなく、導電性接着剤などを用いて外部電極２２と接続端子１２の電極接続部４１とを接続するようにしてもよい。はんだ２８または導電性接着剤により外部電極２２と接続端子１２との間を接続することで、外部電極２２と接続端子１２との間の導電性を確保しつつ安定して接続できる。このため、セラミックコンデンサ素子１１の外部電極２２と接続端子１２の電極接続部４１との間を、はんだ２８または導電性接着剤で接続してもセラミックコンデンサ素子１１で発生した振動を接続端子１２で吸収する際の妨げとならず、外部電極２２と接続端子１２との接続を維持しつつ、接続端子１２で振動が基板１３に伝播するのを安定して抑制することができる。
【００４５】
接続端子１２の電極接続部４１と外部接続部４２と中間部４３との幅は、各々全て同じ幅Ａ１であり、外部電極２２の幅Ｗと対応しているが、本実施形態はこれに限定されるものではなく、接続端子１２がセラミックコンデンサ１０を保持しつつ、接続端子１２とセラミックコンデンサ素子１１との接続を維持し、誘電体素体２１で発生した振動が基板１３に伝播するのを抑制する効果が得られる範囲内であれば、電極接続部４１と外部接続部４２と中間部４３との各々の幅は異なるようにしてもよい。また、接続端子１２がセラミックコンデンサ１０を保持しつつ、セラミックコンデンサ素子１１で発生した振動が基板１３に伝播するのを十分抑制できる範囲内であれば、電極接続部４１の幅Ａ１は、外部電極２２の幅Ｗよりより広くても良いし、狭くしてもよい。
【００４６】
接続端子１２の厚さＡ２は、５０μｍ以上１５０μｍ以下であることが好ましく、８０μｍ以上１２０μｍ以下であることがより好ましい。接続端子１２の厚さＡ２を５０μｍ以上とすることで、接続端子１２がセラミックコンデンサ１０を保持するのに十分な強度を保つことができる。また、接続端子１２の厚さＡ２を１５０μｍ以下とすることで、セラミックコンデンサ素子１１で発生した振動が基板１３に伝播するのを十分抑制できる。
【００４７】
このように、本実施形態に係るセラミックコンデンサ１０によれば、接続端子１２の中間部４３を折り曲げ、中間部４３と基板１３との間の角度αを上記範囲内とすることで、接続端子１２により誘電体素体２１で発生した振動が基板１３に伝播するのを抑制しつつ、振動が基板１３に伝播するばらつきを小さくすることで、誘電体素体２１に起因して発生する振動音を効率よく抑制し、誘電体素体２１に起因して発生する振動音の抑制効果を向上させることができる。
【００４８】
また、複数のセラミックコンデンサ１０を基板１３に搭載した際、複数のセラミックコンデンサ１０が同じ周期で振動することで基板１３に伝わる振動が増幅されるため、振動音が共鳴することにより基板１３から発生する振動音の大きさも増大するが、本実施形態に係るセラミックコンデンサ１０によれば、接続端子１２によりセラミックコンデンサ１０で発生した振動が基板１３に伝播するのを抑制できるため、複数のセラミックコンデンサ１０を基板１３に搭載しても、複数のセラミックコンデンサ１０の振動が共鳴することにより基板１３から発生する振動音の大きさが増大するのを抑制することができる。
【００４９】
以上、本実施形態では、セラミック電子部品の一例として積層型のセラミックコンデンサに適用した場合について説明したが、本発明に係るセラミック電子部品は、上記実施形態に限定されるものではない。本発明に係るセラミック電子部品は、セラミック素体を有するセラミック電子部品であれば、例えば圧電振動子、インダクタ、バリスタ、サーミスタ等の電子部品にも適用可能である。
【実施例】
【００５０】
本実施形態に係る発明の内容を実施例および比較例を用いて以下に詳細に説明するが、本実施形態に係る発明は以下の実施例に限定されるものではない。
【００５１】
＜実施例１〜５、比較例１〜４＞
［セラミックコンデンサの作製］
セラミックコンデンサ素子は、図１中、長さ方向Ｘにおける長さが、３．２ｍｍであり、幅方向Ｙにおける長さが、２．５ｍｍであり、厚さ方向Ｚにおける長さが、２．０ｍｍである。接続端子の材料としては、Ｆｅ−４２Ｎｉ合金の板材を用い、この接続端子の表面にＮｉめっき、Ｓｎめっきを施し、Ｎｉめっき層、Ｓｎめっき層を形成し、めっき後の接続端子の厚さを０．１ｍｍ程度とした。実施例１〜５および比較例１〜４で用いられる接続端子を設けたセラミックコンデンサは、図１に示すセラミックコンデンサ１０のように、セラミックコンデンサ素子１１の長さ方向Ｘであって誘電体素体２１の両側面２３ａ、２３ｂに外部電極２２と接続するように接続端子１２を一対設けたものである。図７に示すように、接続端子１２は、折り曲げに関わる金属板の長さを１ｍｍとし、その中央部を頂点として基板１３に対して所定の角度となるように接続端子１２を折り曲げ、はんだ１６ではんだ付けされる接続端子１２の中間部４３の折曲げ部４３ａ、４３ｂの長さを各々０．５ｍｍとした。実施例１〜５および比較例１〜４で用いられる接続端子の基板とのなす角度αを表１に示す。
【００５２】
［評価］
（振動音の大きさ（音圧）の測定）
各セラミックコンデンサを基板に搭載して交流電圧を印加した際に、基板から発生する振動音の大きさ（音圧）を測定した。図８は、音圧の測定を行なう際に用いた試験装置の構成を簡略に示す図である。図８に示すように、試験装置５０は、無響箱５１と、集音マイク（商品名：ＭＩ−１２３３、小野測器社製）５２と、電源装置５３と、ＦＦＴアナライザ（商品名：ＤＳ２１００、小野測器社製）５４とを備えている。そして、測定対象となるセラミックコンデンサ５５は、基板５６に設置された状態で、無響箱５１内に設置される。セラミックコンデンサ５５を設置した基板５６は、その両端に正負一対の電極がそれぞれ設けられる。
【００５３】
無響箱５１は、箱状に形成され、その内壁に吸音材５７が設けられている。吸音材５７は、グラスウール等を用いており、その表面を波型等に形成することで、音波の接触面積を拡大させ、吸音効果を高めている。
【００５４】
電源装置５３は、一対の配線５８を介して、基板５６の正負一対の電極にそれぞれ接続されており、基板５６は、配線５８に吊り下げられた状態で、セラミックコンデンサ５５が無響箱５１内の底面に対向するように、無響箱５１の中央部分に配置される。電源装置５３は、セラミックコンデンサ５５へ向けて、周波数を１ｋＨｚ〜１０ｋＨｚとし、ＤＣバイアス２０Ｖとして、３Ｖｐ−ｐの交流電圧を印加した。
【００５５】
集音マイク５２は、無響箱５１内の底面に設けられ、無響箱５１の中央部分に設置されたセラミックコンデンサ５５と所定距離を保つようにして配置される。ＦＦＴアナライザ５４は、集音マイク５２により集音された振動音の大きさ（音圧）を解析した。
【００５６】
試験装置５０において、電源装置５３が基板５６へ向けて所定の交流電圧を印加すると、セラミックコンデンサ５５で振動が発生し、セラミックコンデンサ５５の振動が基板５６に伝達され、基板５６から振動音が発生する。この振動音を、集音マイク５２を用いて集音し、集音した振動音を、ＦＦＴアナライザ５４で解析することで、基板５６から発生する振動音の大きさ（音圧）を測定した。なお、音圧の測定は各々３０個行い、周波数は、３ｋＨｚで行った。
【００５７】
実施例１〜５および比較例１〜４の各セラミックコンデンサを設置した基板から発生した音圧の測定結果を表１に示す。尚、図１に示すセラミックコンデンサ１０のように、セラミックコンデンサ素子１１の長さ方向Ｘであって誘電体素体２１の両側面２３ａ、２３ｂに外部電極２２と接続するように実施例１〜５および比較例１〜４で用いられる接続端子を１対設けたセラミックコンデンサでは、図３に示すような比較例１のセラミックコンデンサを用いた場合に発生した音圧を基準とした。音圧は、比較例１のセラミックコンデンサを用いた場合に生じた振動音の音圧より低くし、標準偏差を１．０以下にできれば、音圧の抑制効果が良好であると共に、音圧の抑制効果のばらつきが小さく、良好であると判断した。
【００５８】
【表１】
2012094783.tif 000004
【００５９】
表１に示すように、比較例１のように、折り曲げていない金属板を接続端子として用いた場合、実施例１〜５や比較例２〜４に比べて、音圧は高く、標準偏差は大きかった。これは、折り曲げていない金属板を接続端子として用いた場合、折り曲げている接続端子に比べて音圧の抑制効果は不十分であるためであると考えられる。また、はんだの濡れ上がりにばらつきが大きいため、はんだの接続端子への濡れ上がり距離にばらつきが発生し、振動音の抑制にばらつきが発生するためと考えられる。また、比較例１のように金属板を折り曲げていない接続端子を用いた場合に比べ、比較例２〜４のように折り曲げ角度αが６０°、７０°、８０°程度の金属板を接続端子として用いた場合では、音圧の抑制効果は不十分であり、振動音の抑制のばらつきも大きく、振動音の抑制が不充分であったことが確認された。これは、金属板において振動音を十分吸収できない上、振動音の吸収効果にばらつきがあるためであると考えられる。
【００６０】
これに対し、実施例１〜５では、何れも比較例１のように折り曲げていない金属板を用いた場合や比較例２〜４のように６０°以上折り曲げた金属板を用いた場合に比べ、音圧も５０ｄＢ以下に抑制でき、標準偏差も１．０以下であり、振動音を抑制しつつ、その抑制効果のばらつきが小さいことが確認された。これは、金属板の折り曲げ角度αが小さいほど、上記式（１）のヤング率Ｅを小さくでき、接続端子１２のばね定数Ｋを小さくすることで、接続端子が、セラミックコンデンサ素子で発生した振動が基板に伝播するばらつきを小さくして抑制したことによるものと考えられる。これにより、セラミックコンデンサ素子で発生した振動が基板に伝播するのをばらつきを小さくして抑制する効果が得られる。
【００６１】
よって、セラミックコンデンサは、接続端子１２の折り曲げ角度αを上記範囲内とすることで、誘電体素体２１で発生した振動が基板１３に伝播するのを抑制しつつ、複数のセラミックコンデンサを回路基板１３に搭載した際、各々のセラミックコンデンサの誘電体素体２１から発生する振動が接続端子１２で基板１３に伝播するのを安定して抑制することができることが判明した。
【００６２】
以上より、本実施形態に係る電子部品をセラミックコンデンサとして回路基板に搭載すれば、誘電体素体から基板に伝達される振動を抑制できると共に、複数のセラミックコンデンサを回路基板に搭載した際に複数のセラミックコンデンサの誘電体素体から発生する振動音の大きさのばらつきを小さくして均一に低減できる。また、複数のセラミックコンデンサを回路基板に搭載した際に複数のセラミックコンデンサの振動が共鳴することにより回路基板から発生する振動音の大きさも低減することが可能となる。したがって、本実施形態に係る電子部品は、回路基板に搭載される積層型のセラミックコンデンサとして用いる場合において有用であり、特に、セラミックコンデンサがノート型パーソナルコンピュータ、ＰＤＡ、携帯電話等の各種情報処理装置等の回路基板に搭載されるセラミックコンデンサとして好適に用いることができる。
【産業上の利用可能性】
【００６３】
以上のように、本発明に係る電子部品は、回路基板に実装される積層型のセラミックコンデンサとして用いる場合において有用であり、ノート型パーソナルコンピュータ、ＰＤＡ、携帯電話等の各種情報処理装置等の回路基板に用いるのに適している。
【符号の説明】
【００６４】
１０  セラミックコンデンサ
１１  セラミックコンデンサ素子
１２  接続端子
１３  回路基板（基板）
１４Ａ、１４Ｂ  基板電極
１５Ａ、１５Ｂ  配線
１６、２８  はんだ
２１  誘電体素体
２２  外部電極（端子電極）
２４、２５  側面
２６  誘電体層
２７  内部電極
４１  電極接続部
４２  外部接続部
４３  中間部
α  角度
【図１】
2012094783.tif 000005
【図２】
2012094783.tif 000006
【図３】
2012094783.tif 000007
【図４】
2012094783.tif 000008
【図５】
2012094783.tif 000009
【図６】
2012094783.tif 000010
【図７】
2012094783.tif 000011
【図８】
2012094783.tif 000012